(57)【要約】【課題】物品タグに保存された物品に関連付けられた情報と位置タグに保存された位置に関連付けられた情報を読取り、両者を組み合わせることで一体化管理を可能にする。【解決手段】タグ読取装置１は、物品タグＴＢからバーコード形式の物品コードを読取るバーコードリーダ１１、棚タグＴＡから棚コードを非接触の無線で読取る無線タグリーダ１２を設け、バーコードリーダが読取った物品コードを物品コードメモリ１３に格納し、無線タグリーダが読取った棚コードを棚コードメモリ１４に格納する。また、情報処理部１５、制御部１７を設け、情報処理部は制御部に制御されて物品コードと棚コードを物品管理のための１組の情報として処理する。そして、処理した１組の情報を送信部１６から送信する。【選択図】      図２
2007119239.tif 000002
【特許請求の範囲】
【請求項１】
物品に関連付けられた情報が保存された物品タグを読取る第１の読取り手段と、
位置に関連付けられた情報が保存された位置タグを読取る第２の読取り手段と、
前記第１の読取り手段が読取った物品タグの情報と前記第２の読取り手段が読取った位置タグの情報を関連付けて物品管理のための１組の情報として処理する処理手段を備えたことを特徴とするタグ読取装置。
【請求項２】
物品に関連付けられた情報が保存された物品タグを読取る第１の読取り手段と、
位置に関連付けられた情報が保存された位置タグを読取る第２の読取り手段と、
前記第１の読取り手段が読取った物品タグの情報と前記第２の読取り手段が読取った位置タグの情報を関連付けて物品管理のための１組の情報として処理する処理手段と、
前記第１の読取り手段及び前記第２の読取り手段を起動させ、１組の情報として処理する物品タグ及び位置タグの情報の読取りが完了すると前記第１の読取り手段及び前記第２の読取り手段を停止させる制御手段を備えたことを特徴とするタグ読取装置。
【請求項３】
処理手段は、第１の読取り手段が読取った１つの物品タグの情報と第２の読取り手段が読取った複数の位置タグの情報を関連付けて物品管理のための１組の情報として処理することを特徴とする請求項１又は２記載のタグ読取装置。
【請求項４】
処理手段は、第２の読取り手段が読取った１つの位置タグの情報と第１の読取り手段が読取った複数の物品タグの情報を関連付けて物品管理のための１組の情報として処理することを特徴とする請求項１又は２記載のタグ読取装置。
【請求項５】
処理手段は、物品タグの情報と複数の位置タグの情報を読取った後、第１の読取り手段が次の物品タグの情報を読取ると、前回読取った１つの物品タグの情報と複数の位置タグの情報を１組の情報として処理することを特徴とする請求項３記載のタグ読取装置。
【請求項６】
処理手段は、位置タグの情報と複数の物品タグの情報を読取った後、第２の読取り手段が次の位置タグの情報を読取ると、前回読取った１つの位置タグの情報と複数の物品タグの情報を１組の情報として処理することを特徴とする請求項４記載のタグ読取装置。
【請求項７】
第１の読取り手段と第２の読取り手段は情報の読取り方式が異なることを特徴とする請求項１又は２記載のタグ読取装置。
【請求項８】
物品タグとしてバーコードや２次元コード等のコード情報を付したタグを使用し、第１の読取り手段として、物品タグからコード情報を光学式に読取る光学式読取り器を使用し、位置タグとして情報を無線で送信する無線タグを使用し、第２の読取り手段として、無線タグの情報を無線で読取る無線タグ読取り器を使用したことを特徴とする請求項７記載のタグ読取装置。
【請求項９】
物品タグとして情報を無線で送信する無線タグを使用し、第１の読取り手段として、無線タグの情報を無線で読取る無線タグ読取り器を使用し、位置タグとしてバーコードや２次元コード等のコード情報を付したタグを使用し、第２の読取り手段として、物品タグからコード情報を光学式に読取る光学式読取り器を使用したことを特徴とする請求項７記載のタグ読取装置。
【請求項１０】
物品タグ及び位置タグとして情報を無線で送信する無線タグを使用し、第１の読取り手段と第２の読取り手段として、それぞれ無線タグの情報を無線で読取る無線タグ読取り器を使用したことを特徴とする請求項１又は２記載のタグ読取装置。
【請求項１１】
物品タグ及び位置タグとして応答周波数が異なる無線タグを使用し、第１の読取り手段と第２の読取り手段として、それぞれ物品タグ及び位置タグの応答周波数に対応した出力周波数を設定した無線タグ読取り器を使用したことを特徴とする請求項１０記載のタグ読取装置。
【請求項１２】
第１の読取り手段と第２の読取り手段として、それぞれの出力の大きさが異なる無線タグ読取り器を使用したことを特徴とする請求項１０記載のタグ読取装置。
【請求項１３】
物品に関連付けられた情報及び識別子が保存された物品タグ、並びに位置に関連付けられた情報及び識別子が保存された位置タグを、識別子を指定して選択的に読取る読取り手段と、
前記読取り手段が読取った物品タグの情報と位置タグの情報を関連付けて物品管理のための１組の情報として処理する処理手段を備えたことを特徴とするタグ読取装置。
【発明の詳細な説明】
【技術分野】
【０００１】
本発明は、例えば、物品の位置管理に使用されるタグ読取装置に関する。
【背景技術】
【０００２】
従来、百貨店、スーパー、コンビニエンスストア等の店舗では、売り場に商品陳列棚を設置し、そこに商品を陳列して販売を行っている。店舗において、多数の商品を陳列棚毎に分類して管理する場合、商品に添付したタグと陳列棚に添設したグを利用して管理している。例えば、陳列棚に棚番号等を記録した無線式の棚側情報タグを添設し、陳列棚に陳列される複数の陳列物品に物品を特定する情報等を記録した物品側情報タグを添付し、ハンディタイプのリーダライタ装置によって棚側情報タグから棚番号を読取り、この読取った棚番号をその棚に陳列されている各陳列物品の物品側情報タグに記録することで、陳列物品とそれを陳列する棚、すなわち、位置との関係を管理するものが知られている（特許文献１参照）。
【特許文献１】特開２００１−１８０８１２号公報
【発明の開示】
【発明が解決しようとする課題】
【０００３】
特許文献１記載のものは陳列物品に棚番号を記録し、物品個々において物品を特定する情報と棚番号の両方を管理するようにしていたが、これでは物品や棚とは独立して、物品側情報タグの情報と棚側情報タグの情報を組として、例えば、コンピュータで管理するような処理ができなかった。すなわち、特許文献１のように、リーダライタ装置によって棚側情報タグから棚番号を読取り、この読取った棚番号をその棚に陳列されている各陳列物品の物品側情報タグに記録する構成では、物品側情報タグの情報と棚側情報タグの情報を組として一体化管理することはできなかった。
【０００４】
そこで、本発明は、物品タグに保存された物品に関連付けられた情報と位置タグに保存された位置に関連付けられた情報を読取り、両者を組み合わせることで一体化管理を可能にしたタグ読取装置を提供する。
【課題を解決するための手段】
【０００５】
本発明は、物品に関連付けられた情報が保存された物品タグを読取る第１の読取り手段と、位置に関連付けられた情報が保存された位置タグを読取る第２の読取り手段と、第１の読取り手段が読取った物品タグの情報と第２の読取り手段が読取った位置タグの情報を関連付けて物品管理のための１組の情報として処理する処理手段を備えたタグ読取装置にある。
【発明の効果】
【０００６】
本発明によれば、物品タグに保存された物品に関連付けられた情報と位置タグに保存された位置に関連付けられた情報を読取り、両者を組み合わせることで一体化管理を可能にしたタグ読取装置を提供できる。
【発明を実施するための最良の形態】
【０００７】
以下、本発明の実施の形態を、図面を参照して説明する。  
（第１の実施の形態）
図１はシステムの全体構成を示す図で、１はハンディ型のタグ読取装置、２は複数の物品３を陳列する物品陳列棚、４は情報を管理するパーソナルコンピュータである。
【０００８】
前記物品陳列棚２は、複数の棚エリアＡ１，Ａ２，Ａ３，Ａ４，Ａ５，Ａ６，Ａ７，Ａ８，Ａ９に仕切られている。各棚エリアＡ１〜Ａ９の上のフレーム正面には、位置に関連づけられた情報として棚エリアの位置を示す棚コードが保存された位置タグとして無線タグからなる棚タグＴＡ、すなわち、ＴＡ１，ＴＡ２，ＴＡ３，ＴＡ４，ＴＡ５，ＴＡ６，ＴＡ７，ＴＡ８，ＴＡ９が取付けられている。
【０００９】
前記物品陳列棚２に陳列された各物品３にはそれぞれ物品に関連づけられた情報である物品コードを、例えば、バーコードの形式で保存した物品タグＴＢが添付されている。なお、物品コードとしては、２次元コードであってもよい。
【００１０】
図２に示すように、前記タグ読取装置１は、前記物品タグＴＢから物品コードを読取る第１の読取り手段として、バーコード形式の物品コードを光学式に読取る光学式読取り器としてのバーコードリーダ１１、前記棚タグＴＡから位置に関連づけられた棚コードを非接触の無線で読取る第２の読取り手段としての無線タグリーダ１２を設けている。そして、前記バーコードリーダ１１が読取った物品コードを物品コードメモリ１３に格納し、前記無線タグリーダ１２が読取った棚コードを棚コードメモリ１４に格納している。
【００１１】
前記タグ読取装置１は、情報処理部１５を設け、前記物品コードメモリ１３に格納した物品コードと前記棚コードメモリ１４に格納した棚コードを関連付けて物品管理のための１組の情報として処理し、この処理した１組の情報を前記パーソナルコンピュータ４に無線で送信する送信部１６に供給するようにしている。前記タグ読取装置１は、制御部１７を設け、この制御部１７によって、前記バーコードリーダ１１、無線タグリーダ１２、物品コードメモリ１３、棚コードメモリ１４、情報処理部１５及び送信部１６をそれぞれ制御するようにしている。なお、前記情報処理部１５及び制御部１７はマイクロプロセッサによって構成されている。
【００１２】
このような構成においては、タグ読取装置１の制御部１７は、図３に示すタグ読取り制御を行う。すなわち、Ｓ１にて、バーコードリーダ１１及び無線タグリーダ１２を起動させる。そして、Ｓ２にて、物品コードメモリ１３及び棚コードメモリ１４をクリアする。
【００１３】
物品Ｂ１を棚エリアＡ２に陳列する場合は、Ｓ３にて、図４の(a)に示すように、棚エリアＡ２に対応した棚タグＴＡ２にタグ読取装置１の無線タグリーダ１２を接近させて無線で棚コードａ２を読取る。そして、Ｓ４にて、読取った棚コードａ２を棚コードメモリ１４に格納する。
【００１４】
続いて、Ｓ５にて、図４の(b)に示すように、物品Ｂ１の物品タグＴＢにタグ読取装置１のバーコードリーダ１１を接触させてバーコードをスキャンし物品コードｂ１を読取る。そして、Ｓ６にて、読取った物品コードｂ１を物品コードメモリ１３に格納する。
【００１５】
棚タグＴＡ２からの棚コードａ２の読取り及び物品タグＴＢからの物品コードｂ１の読み取りが完了すると、Ｓ７にて、バーコードリーダ１１及び無線タグリーダ１２を停止させる。そして、Ｓ８にて、情報処理部１５を制御し、物品コードと棚コードを１組のデータとして処理する。なお、読み取りが完了したことをランプやブザーで知らせるようにしてもよい。そして、作業者は、図４の(c)に示すように、物品Ｂ１を棚エリアＡ２に陳列する。
【００１６】
そして、陳列する物品がまだ残っていれば、Ｓ１からＳ８の処理を繰り返すことになる。こうして、例えば、図４の(d)に示すように、さらに、棚エリアＡ３に物品Ｂ２を陳列し、棚エリアＡ４に物品Ｂ３を陳列し、棚エリアＡ９に物品Ｂ４を陳列する。そして、これで物品の陳列が終了すれば、作業者は、タグ読取装置１に設けられている第１スイッチ（図示せず）を操作する。これにより、Ｓ９にて物品の陳列完了を判断し、一連の処理を終了する。
【００１７】
このような処理によって情報処理部１５には、図５に示すように、物品Ｂ１の物品タグＢＴの物品コードｂ１と棚タグＴＡ２の棚コードａ２を１組としてレコード(1)を作成して送信部１６からパーソナルコンピュータ４に送信する。また、物品Ｂ２の物品タグＢＴの物品コードｂ２と棚タグＴＡ３の棚コードａ３を１組としてレコード(2)を作成して送信部１６からパーソナルコンピュータ４に送信する。また、物品Ｂ３の物品タグＢＴの物品コードｂ３と棚タグＴＡ４の棚コードａ４を１組としてレコード(3)を作成して送信部１６からパーソナルコンピュータ４に送信する。さらに、物品Ｂ４の物品タグＢＴの物品コードｂ４と棚タグＴＡ９の棚コードａ９を１組としてレコード(4)を作成して送信部１６からパーソナルコンピュータ４に送信する。パーソナルコンピュータ４では、これらの各レコードの情報をデータベースに記憶して管理することになる。
【００１８】
このように、タグ読取装置１によって物品タグに保存された物品コードと、棚タグに保存された棚コードをそれぞれ読取って両者を組み合わせ１組のレコードとすることで、パーソナルコンピュータ４は、物品陳列棚２の棚エリアと陳列する物品３を一体化して管理することができる。
【００１９】
また、棚タグから棚コードを読取り、物品タグから物品コードを読取る毎に無線タグリーダ１２とバーコードリーダ１１を停止させ、次の読み取りを開始するときに再度起動させるようにしているので、省電力化を充分に図ることができ、ハンディ型のタグ読取装置１に極めて有効である。
【００２０】
なお、この実施の形態では、物品コードと棚コードを直接対応付けして管理するようにしたが必ずしもこれに限定するものではなく、例えば、図６に示すように、物品コードと棚コードを共通の識別コードで対応付けて管理するようにしてもよい。すなわち、共通の識別コードｃ１によって物品コードｂ１と棚コードａ２を対応付けて管理し、共通の識別コードｃ２によって物品コードｂ２と棚コードａ３を対応付けて管理し、共通の識別コードｃ３によって物品コードｂ３と棚コードａ４を対応付けて管理し、共通の識別コードｃ４によって物品コードｂ４と棚コードａ９を対応付けて管理する。
【００２１】
（第２の実施の形態）
この実施の形態のハードウエア構成は前述した第１の実施の形態と同一である。異なる点は、制御部１７によるバーコードリーダ１１及び無線タグリーダ１２の起動、停止の制御にある。
【００２２】
すなわち、この実施の形態においては、タグ読取装置１の制御部１７は、図７に示すタグ読取り制御を行う。すなわち、Ｓ１１にて、無線タグリーダ１２を起動させ、Ｓ１２にて、棚コードメモリ１４をクリアする。そして、Ｓ１３にて、棚タグＴＡ２にタグ読取装置１の無線タグリーダ１２を接近させて無線で棚コードを読取り、Ｓ１４にて、読取った棚コードを棚コードメモリ１４に格納する。そして、棚タグＴＡ２からの棚コードの読取りが完了すると、Ｓ１５にて、無線タグリーダ１２を停止させる。
【００２３】
次に、Ｓ１６にて、バーコードリーダ１１を起動させ、Ｓ１７にて、物品コードメモリ１３をクリアする。そして、Ｓ１８にて、物品Ｂ１の物品タグＴＢにタグ読取装置１のバーコードリーダ１１を接触させてバーコードをスキャンし物品コードを読取る。そして、Ｓ１９にて、読取った物品コードを物品コードメモリ１３に格納する。そして、物品タグＴＢからの物品コードの読取りが完了すると、Ｓ２０にて、バーコードリーダ１１を停止させる。
【００２４】
続いて、Ｓ２１にて、情報処理部１５を制御し、物品コードと棚コードを１組のデータとして処理する。そして、陳列する物品がまだ残っていれば、Ｓ１１からＳ２１の処理を繰り返す。そして、最後にスイッチ（図示せず）を操作することで、Ｓ２２にて物品の陳列完了を判断し、一連の処理を終了する。
【００２５】
このような構成においては、無線タグリーダ１２が動作しているときにはバーコードリーダ１１は停止状態にあり、バーコードリーダ１１が動作しているときには無線タグリーダ１２は停止状態にあるので、棚タグの読取り中に誤って物品タグから物品コードを読取ることや物品タグの読取り中に誤って棚タグから棚コードを読取ることはない。なお、その他については、前述した第１の実施の形態と同様の作用効果が得られるものである。
【００２６】
なお、前記述した第１、第２の実施の形態では、物品タグにバーコード形式の物品コードを保存し、位置タグである棚タグを無線タグとして棚コードを保存し、物品タグから物品コードをバーコードリーダで読取り、棚タグから棚コードを無線タグリーダで読取るようにしたが、これは逆であってもよい。すなわち、物品タグとして無線タグを使用して物品コードを保存し、位置タグである棚タグにバーコードを棚コードとして保存し、物品タグから物品コードを無線タグリーダで読取り、棚タグから棚コードをバーコードリーダで読取るようにしてもよい。
【００２７】
また、前記述した第１、第２の実施の形態では、棚タグから棚コードを読取った後に、物品タグから物品コードを読取るようにしたがこれに限定するものではなく、読取り順序は逆であってもよい。
【００２８】
（第３の実施の形態）
この実施の形態は、物品陳列棚２の棚エリアに複数の物品を陳列する制御について述べる。なお、タグ読取り装置１のバード構成は前述した第１の実施の形態と同一である。異なる点は、制御部１７による制御処理にある。
【００２９】
すなわち、この実施の形態においては、タグ読取装置１の制御部１７は、図８に示すタグ読取り制御を行う。すなわち、Ｓ３１にて、バーコードリーダ１１及び無線タグリーダ１２を起動させる。そして、Ｓ３２にて、物品コードメモリ１３及び棚コードメモリ１４をクリアする。
【００３０】
物品Ｂ１，Ｂ２，Ｂ３，Ｂ４を棚エリアＡ１に陳列し、物品Ｂ５，Ｂ６，Ｂ７，Ｂ８を棚エリアＡ５に陳列する場合は、先ず、Ｓ３３にて、図９の(a)に示すように、棚エリアＡ１に対応した棚タグＴＡ１にタグ読取装置１の無線タグリーダ１２を接近させて無線で棚コードａ１を読取る。そして、Ｓ３４にて、読取った棚コードａ１を棚コードメモリ１４に格納する。
【００３１】
続いて、Ｓ３５にて、図９の(b)に示すように、先ず、物品Ｂ１の物品タグＴＢ１にタグ読取装置１のバーコードリーダ１１を接触させてバーコードをスキャンし物品コードｂ１を読取る。そして、Ｓ３６にて、読取った物品コードｂ１を物品コードメモリ１３に格納する。
【００３２】
Ｓ３７にて、物品タグＴＢからの物品コードの読取り完了を判断するが、読み取りを行う物品タグが残っているので、Ｓ３５及びＳ３６の処理を繰り返し、物品Ｂ２の物品タグＴＢ２からの物品コードｂ２の読取り、物品Ｂ３の物品タグＴＢ３からの物品コードｂ３の読取り、物品Ｂ４の物品タグＴＢ４からの物品コードｂ４の読取りを順次行う。そして、読み取りが終了すると、作業者は、タグ読取装置１に設けられている第２スイッチ（図示せず）を操作する。これにより、Ｓ３７にて、物品タグＴＢからの物品コードの読取り完了が判断される。
【００３３】
棚タグＴＡ１からの棚コードの読取り及び棚エリアＡ１に陳列する物品タグＴＢからの物品コードの読み取りが完了すると、Ｓ３８にて、バーコードリーダ１１及び無線タグリーダ１２を停止させる。そして、Ｓ３９にて、情報処理部１５を制御し、４つの物品コードｂ１，ｂ２，ｂ３，ｂ４と１つの棚コードａ１を１組のデータとして対応させる処理を行う。なお、読み取りが完了したことをランプやブザーで知らせるようにしてもよい。そして、作業者は、図９の(c)に示すように、物品Ｂ１，Ｂ２，Ｂ３，Ｂ４を棚エリアＡ１に陳列する。
【００３４】
そして、棚エリアＡ５に陳列する物品Ｂ５，Ｂ６，Ｂ７，Ｂ８がまだ残っているので、Ｓ３１からＳ３９の処理を繰り返すことになる。こうして、図９の(d)に示すように、さらに、棚エリアＡ５に物品Ｂ５，Ｂ６，Ｂ７，Ｂ８を陳列する。そして、物品の陳列が終了すれば、作業者は、タグ読取装置１に設けられている第１スイッチ（図示せず）を操作する。これにより、Ｓ４０にて物品の陳列完了を判断し、一連の処理を終了する。
【００３５】
このような処理によって情報処理部１５は、図１０に示すように、物品Ｂ１の物品タグＢＴ１の物品コードｂ１と棚タグＴＡ１の棚コードａ１を１組としてレコード(1)を作成し、物品Ｂ２の物品タグＢＴ２の物品コードｂ２と同じ棚コードａ１を１組としてレコード(2)を作成し、物品Ｂ３の物品タグＢＴ２の物品コードｂ３と同じ棚コードａ１を１組としてレコード(3)を作成し、物品Ｂ４の物品タグＢＴ４の物品コードｂ４と同じ棚コードａ１を１組としてレコード(4)を作成する。また、物品Ｂ５の物品タグＢＴ５の物品コードｂ５と棚タグＴＡ５の棚コードａ５を１組としてレコード(5)を作成し、物品Ｂ６の物品タグＢＴ６の物品コードｂ６と同じ棚コードａ５を１組としてレコード(6)を作成し、物品Ｂ７の物品タグＢＴ７の物品コードｂ７と同じ棚コードａ５を１組としてレコード(7)を作成し、物品Ｂ８の物品タグＢＴ８の物品コードｂ８と同じ棚コードａ５を１組としてレコード(8)を作成する。そして、これらのレコードを順次送信部１６からパーソナルコンピュータ４に送信する。パーソナルコンピュータ４では、これらの各レコードの情報をデータベースに記憶して管理することになる。
【００３６】
このように、個々の棚エリアに複数の物品を陳列する場合においても物品タグに保存された物品コードと、棚タグに保存された棚コードをそれぞれ読取って両者を組み合わせ１組のレコードとすることで、パーソナルコンピュータ４は、物品陳列棚２の棚エリアと陳列する物品３を一体化して管理することができる。そして、この場合において、棚エリアに陳列する複数の物品については物品タグを個々に読取るが棚タグに対応する棚タグの読み取りは１回でよく、読取り作業が容易にでき、作業時間を短縮できる。
【００３７】
また、棚エリアの棚タグから棚コードを読取り、棚エリアに陳列する分の物品の物品タグから物品コードを読取る毎に無線タグリーダ１２とバーコードリーダ１１を停止させ、次の棚エリアに対する読み取りを開始するときに再度起動させるようにしているので、省電力化を充分に図ることができ、ハンディ型のタグ読取装置１に極めて有効である。
【００３８】
なお、この実施の形態では、１つの物品コードと１つの棚コードの組によって１つのレコードを作成し管理するようにしたが必ずしもこれに限定するものではない。  
例えば、図１１に示すように、１つの棚コードａ１と陳列する４つの物品コードｂ１，ｂ２，ｂ３，ｂ４の組によって１つのレコード(1)を作成し、１つの棚コードａ５と陳列する４つの物品コードｂ５，ｂ６，ｂ７，ｂ８の組によって１つのレコード(2)を作成して管理するようにしてもよい。
【００３９】
また、図１２に示すように、物品コードと棚コードを共通の識別コードで対応付けて管理するようにしてもよい。すなわち、共通の識別コードｃ１によって物品コードｂ１と棚コードａ１を対応付けて管理し、共通の識別コードｃ２によって物品コードｂ２と棚コードａ１を対応付けて管理し、共通の識別コードｃ３によって物品コードｂ３と棚コードａ１を対応付けて管理し、共通の識別コードｃ４によって物品コードｂ４と棚コードａ９を対応付けて管理する。また、共通の識別コードｃ５によって物品コードｂ５と棚コードａ５を対応付けて管理し、共通の識別コードｃ６によって物品コードｂ６と棚コードａ５を対応付けて管理し、共通の識別コードｃ７によって物品コードｂ７と棚コードａ５を対応付けて管理し、共通の識別コードｃ８によって物品コードｂ８と棚コードａ５を対応付けて管理する。
【００４０】
（第４の実施の形態）
この実施の形態は、同一の物品を物品陳列棚２の複数の棚エリアに陳列する制御について述べる。なお、タグ読取り装置１のバード構成は前述した第１の実施の形態と同一である。異なる点は、制御部１７による制御処理にある。
【００４１】
すなわち、この実施の形態においては、タグ読取装置１の制御部１７は、図１３に示すタグ読取り制御を行う。すなわち、Ｓ４１にて、バーコードリーダ１１及び無線タグリーダ１２を起動させる。そして、Ｓ４２にて、物品コードメモリ１３及び棚コードメモリ１４をクリアする。
【００４２】
物品Ｂ１を棚エリアＡ１，Ａ２，Ａ３，Ａ４に陳列し、物品Ｂ２を棚エリアＡ７，Ａ８に陳列する場合は、先ず、Ｓ４３にて、図１４の(a)に示すように、物品Ｂ１の物品タグＴＢ１にタグ読取装置１のバーコードリーダ１１を接触させてバーコードをスキャンし物品コードｂ１を読取る。そして、Ｓ４４にて、読取った物品コードｂ１を物品コードメモリ１３に格納する。
【００４３】
続いて、Ｓ４５にて、図１４の(b)に示すように、棚エリアＡ１に対応した棚タグＴＡ１にタグ読取装置１の無線タグリーダ１２を接近させて無線で棚コードａ１を読取る。そして、Ｓ４６にて、読取った棚コードａ１を棚コードメモリ１４に格納する。
【００４４】
Ｓ４７にて、物品Ｂ１の複数の棚エリアに対する陳列処理が完了したかを判断するが、陳列する棚エリアが残っているので、Ｓ４５及びＳ４６の処理を繰り返し、棚エリアＡ２の棚タグＴＡ２からの棚コードａ２の読取り、棚エリアＡ３の棚タグＴＡ３からの棚コードａ３の読取り、棚エリアＡ４の棚タグＴＡ４からの棚コードａ４の読取りを順次行う。そして、読み取りが終了すると、作業者は、タグ読取装置１に設けられている第２スイッチ（図示せず）を操作する。これにより、Ｓ４７にて、陳列する棚タグからの棚コードの読取り完了が判断される。
【００４５】
陳列する物品Ｂ１の物品タグＴＢからの物品コードｂ１の読み取り及びこの物品Ｂ１を陳列する複数の棚エリアＡ１〜Ａ４の棚タグＴＡ１〜ＴＡ４からの棚コードａ１〜ａ４の読取りが完了すると、Ｓ４８にて、バーコードリーダ１１及び無線タグリーダ１２を停止させる。そして、Ｓ４９にて、情報処理部１５を制御し、４つの棚コードａ１，ａ２，ａ３，ａ４と１つの物品コードｂ１を１組のデータとして対応させる処理を行う。なお、読み取りが完了したことをランプやブザーで知らせるようにしてもよい。そして、作業者は、図１４の(c)に示すように、物品Ｂ１を棚エリアＡ１，Ａ２，Ａ３，Ａ４にそれぞれ陳列する。
【００４６】
そして、棚エリアＡ７，Ａ８に陳列する物品Ｂ２がまだ残っているので、Ｓ４１からＳ４９の処理を繰り返すことになる。こうして、図１４の(d)に示すように、さらに、物品Ｂ２を棚エリアＡ７，Ａ８に陳列する。そして、物品の陳列が終了すれば、作業者は、タグ読取装置１に設けられている第１スイッチ（図示せず）を操作する。これにより、Ｓ５０にて物品の陳列完了を判断し、一連の処理を終了する。
【００４７】
このような処理によって情報処理部１５には、図１５に示すように、物品Ｂ１の物品タグＢＴ１の物品コードｂ１と棚エリアＡ１に対応する棚タグＴＡ１の棚コードａ１を１組としてレコード(1)を作成し、同じ物品コードｂ１と棚エリアＡ２に対応する棚タグＴＡ２の棚コードａ２を１組としてレコード(2)を作成し、同じ物品コードｂ１と棚エリアＡ３に対応する棚タグＴＡ３の棚コードａ３を１組としてレコード(3)を作成し、同じ物品コードｂ１と棚エリアＡ４に対応する棚タグＴＡ４の棚コードａ４を１組としてレコード(4)を作成する。また、物品Ｂ２の物品タグＢＴ２の物品コードｂ２と棚エリアＡ７に対応する棚タグＴＡ７の棚コードａ７を１組としてレコード(5)を作成し、同じ物品コードｂ２と棚エリアＡ８に対応する棚タグＴＡ８の棚コードａ８を１組としてレコード(6)を作成する。そして、これらのレコードを順次送信部１６からパーソナルコンピュータ４に送信する。パーソナルコンピュータ４では、これらの各レコードの情報をデータベースに記憶して管理することになる。
【００４８】
このように、同一の物品を複数の棚エリアに陳列する場合においても物品タグに保存された物品コードと、棚タグに保存された棚コードをそれぞれ読取って両者を組み合わせ１組のレコードとすることで、パーソナルコンピュータ４は、物品陳列棚２の棚エリアと陳列する物品３を一体化して管理することができる。そして、この場合において、同一の物品を陳列する複数の棚エリアに設けた棚タグについては個々に読取るが陳列する物品の物品タグの読み取りは１回でよく、読取り作業が容易にでき、作業時間を短縮できる。
【００４９】
また、陳列する物品の物品タグから物品コードを読取り、これを陳列する複数の棚エリアの棚タグから棚コードを読取る毎に無線タグリーダ１２とバーコードリーダ１１を停止させ、他の物品の物品タグに対する読み取りを開始するときに再度起動させるようにしているので、省電力化を充分に図ることができ、ハンディ型のタグ読取装置１に極めて有効である。
【００５０】
なお、この実施の形態では、１つの物品コードと１つの棚コードの組によって１つのレコードを作成し管理するようにしたが必ずしもこれに限定するものではない。  
例えば、図１６に示すように、１つの物品コードｂ１と物品Ｂ１を陳列する４つの棚エリアＡ１〜Ａ４の棚コードａ１，ａ２，ａ３，ａ４の組によって１つのレコード(1)を作成し、１つの物品コードｂ２と物品Ｂ２を陳列する２つの棚エリアＡ７，Ａ８の棚コードａ７，ａ８の組によって１つのレコード(2)を作成して管理するようにしてもよい。
【００５１】
また、図１７に示すように、物品コードと棚コードを共通の識別コードで対応付けて管理するようにしてもよい。すなわち、共通の識別コードｃ１によって物品コードｂ１と棚コードａ１を対応付けて管理し、共通の識別コードｃ２によって物品コードｂ１と棚コードａ２を対応付けて管理し、共通の識別コードｃ３によって物品コードｂ１と棚コードａ３を対応付けて管理し、共通の識別コードｃ４によって物品コードｂ１と棚コードａ４を対応付けて管理する。また、共通の識別コードｃ５によって物品コードｂ２と棚コードａ７を対応付けて管理し、共通の識別コードｃ６によって物品コードｂ２と棚コードａ８を対応付けて管理する。
【００５２】
（第５の実施の形態）
この実施の形態は、タグ読取装置の変形例について述べる。  
すなわち、図１８に示すように、物品タグとして物品コードを情報として保存した無線タグからなる物品タグＴＢ-1を使用している。また、棚タグとして棚コードを情報として保存した無線タグからなる棚タグＴＡ-1を使用している。
【００５３】
タグ読取装置１としては、第１の読取り手段として、前記物品タグＴＢ-1から物品コードを非接触の無線で読取る第１の無線タグリーダ１１１を使用し、第２の読取り手段として、棚タグＴＡ-1から棚コードを読取る第２の無線タグリーダ１２１を使用している。
【００５４】
前記第１の無線タグリーダ１１１と第２の無線タグリーダ１２１とは、出力周波数が異なるように構成されている。すなわち、第１の無線タグリーダ１１１と物品タグＴＢ-1とは２．５４ＧＨｚ帯の周波数を使用して通信を行い、第２の無線タグリーダ１２１と棚タグＴＡ-1とは９５０ＭＨｚ帯の周波数を使用して通信を行うように構成されている。
【００５５】
従って、前記物品タグＴＢ-1は２．５４ＧＨｚ帯で応答できるアンテナ形状の無線タグで構成され、前記棚タグＴＡ-1は９５０ＭＨｚ帯で応答できるアンテナ形状の無線タグで構成される。その他の構成は、前述した第１の実施の形態と同様である。
【００５６】
このような構成においては、第１の無線タグリーダ１１１が物品タグＴＢ-1と無線通信する周波数と第２の無線タグリーダ１２１が棚タグＴＡ-1と無線通信する周波数が異なるので、両者とも無線通信するものであっても、第１の無線タグリーダ１１１は物品タグＴＢ-1から確実に物品コードを読取ることができ、また、第２の無線タグリーダ１２１は棚タグＴＡ-1から確実に棚コードを読取ることができる。なお、その他については、前述した第１の実施の形態と同様の作用効果が得られるものである。
【００５７】
なお、この実施の形態では、第１の無線タグリーダ１１１と物品タグＴＢ-1が無線通信する周波数と第２の無線タグリーダ１２１と棚タグＴＡ-1が無線通信する周波数を異ならせたが必ずしもこれに限定するものではない。例えば、両者の通信周波数を同一とし、出力の大きさを異ならせてもよい。
【００５８】
例えば、第１の無線タグリーダ１１１が物品タグＴＢ-1から物品コードを読取るときの出力を小さくし、第２の無線タグリーダ１２１が棚タグＴＡ-1から棚コードを読取るときの出力を大きくする。
【００５９】
このようにすれば、各無線タグリーダ１１１，１２１は、出力応じて物品タグＴＢ-1と棚タグＴＡ-1を選択的に読取ることが可能になる。すなわち、両者とも無線通信するものであっても、第１の無線タグリーダ１１１は物品タグＴＢ-1から確実に物品コードを読取ることができ、また、第２の無線タグリーダ１２１は棚タグＴＡ-1から確実に棚コードを読取ることができる。
【００６０】
（第６の実施の形態）
この実施の形態は、タグ読取装置の変形例について述べる。  
すなわち、図１９に示すように、物品タグとして識別子Buppinと物品コードを情報として保存した無線タグからなる物品タグＴＢ-2を使用している。また、棚タグとして識別子Tanaと棚コードを情報として保存した無線タグからなる棚タグＴＡ-2を使用している。
【００６１】
タグ読取装置１としては、読取り手段として、１個の無線タグリーダ１８を使用し、この無線タグリーダ１８が物品タグＴＢ-2からの物品コードと棚タグＴＡ-2から棚コードを選択的に読取るように構成している。すなわち、前記無線タグリーダ１８は、識別子Buppinを指定して物品タグＴＢ-2から物品コードを読取り、また、識別子Tanaを指定して棚タグＴＡ-2から棚コードを読取る。
【００６２】
そして、前記無線タグリーダ１８は、物品タグＴＢ-2から物品コードを読取ったときには物品コードを物品コードメモリ１３に格納し、棚タグＴＡ-2から棚コードを読取ったときには棚コードを棚コードメモリ１４に格納する。その他の構成は、前述した第１の実施の形態と同様である。
【００６３】
このようにすれば、無線タグリーダ１８は、共通であっても識別子を使用することでタグを区別することができるので、物品タグＴＢ-2から確実に物品コードを読取ることができ、また、棚タグＴＡ-2から確実に棚コードを読取ることができる。しかも、使用するタグリーダを１個にでき、構成を簡単化できる。なお、その他については、前述した第１の実施の形態と同様の作用効果が得られるものである。
【図面の簡単な説明】
【００６４】
【図１】本発明の第１の実施の形態に係るシステムの全体構成を示す図。
【図２】同実施の形態で使用するタグ読取装置の構成を示すブロック図。
【図３】同実施の形態のタグ読取装置の制御部によるタグ読取り制御を示す流れ図。
【図４】同実施の形態における物品の陳列時の動作を説明するための図。
【図５】同実施の形態のタグ読取装置において作成される物品コードと棚コードからなるレコード構成例を示す図。
【図６】同実施の形態のタグ読取装置において作成されるレコードの他の構成例を示す図。
【図７】本発明の第２の実施の形態に係るタグ読取装置の制御部によるタグ読取り制御を示す流れ図。
【図８】本発明の第３の実施の形態に係るタグ読取装置の制御部によるタグ読取り制御を示す流れ図。
【図９】同実施の形態における物品の陳列時の動作を説明するための図。
【図１０】同実施の形態のタグ読取装置において作成される物品コードと棚コードからなるレコード構成例を示す図。
【図１１】同実施の形態のタグ読取装置において作成されるレコードの他の構成例を示す図。
【図１２】同実施の形態のタグ読取装置において作成されるレコードの他の構成例を示す図。
【図１３】本発明の第４の実施の形態に係るタグ読取装置の制御部によるタグ読取り制御を示す流れ図。
【図１４】同実施の形態における物品の陳列時の動作を説明するための図。
【図１５】同実施の形態のタグ読取装置において作成される物品コードと棚コードからなるレコード構成例を示す図。
【図１６】同実施の形態のタグ読取装置において作成されるレコードの他の構成例を示す図。
【図１７】同実施の形態のタグ読取装置において作成されるレコードの他の構成例を示す図。
【図１８】本発明の第５の実施の形態に係るタグ読取装置の構成を示すブロック図。
【図１９】本発明の第６の実施の形態に係るタグ読取装置の構成を示すブロック図。
【符号の説明】
【００６５】
１…タグ読取装置、ＴＡ…棚タグ、ＴＢ…物品タグ、１１…バーコードリーダ（第１の読取り手段）、１２…無線タグリーダ（第２の読取り手段）、１５…情報処理部、１７…制御部。
【図１】
2007119239.tif 000003
【図２】
2007119239.tif 000004
【図３】
2007119239.tif 000005
【図４】
2007119239.tif 000006
【図５】
2007119239.tif 000007
【図６】
2007119239.tif 000008
【図７】
2007119239.tif 000009
【図８】
2007119239.tif 000010
【図９】
2007119239.tif 000011
【図１０】
2007119239.tif 000012
【図１１】
2007119239.tif 000013
【図１２】
2007119239.tif 000014
【図１３】
2007119239.tif 000015
【図１４】
2007119239.tif 000016
【図１５】
2007119239.tif 000017
【図１６】
2007119239.tif 000018
【図１７】
2007119239.tif 000019
【図１８】
2007119239.tif 000020
【図１９】
2007119239.tif 000021